(57)【要約】  レザーカートリッジにおいて、プラットフォーム部は、その内部に配置された少なくとも１つの第１のレザーブレードの組を有する第１のカートリッジ部を有している。第１のレザーブレードの組の各ブレードは、少なくとも部分的に露出したカッティングエッジを有している。また、第２のカートリッジ部がプラットフォーム部に備えられ、連結されている。第２のカートリッジ部は、その内部に配置された少なくとも１つの第１のレザーブレードの組を有し、各ブレードは、少なくとも部分的に露出したカッティングエッジを有している。レザーカートリッジは、一時的に又は恒久的にハンドルに対して取り付けられ、第１及び第２のレザーブレードの組の各カッティングエッジは、シェービング処理において、ユーザの皮膚上を概ね逆の２つの方向のいずれか一方に引かれた際にレザーカートリッジで毛髪を切断できるように、互いに向き合っている。
2007519500.tif 000002
【特許請求の範囲】
【請求項１】
少なくとも１つの第１のレザーブレードの組がその内部に配置され、前記第１のレザーブレードの組の各ブレードが少なくとも部分的に露出したカッティングエッジを有する第１のカートリッジ部と、
プラットフォーム部に連結され、少なくとも１つの第２のレザーブレードの組がその内部に配置され、前記第２のレザーブレードの組の各ブレードが少なくとも部分的に露出したカッティングエッジを有する第２のカートリッジ部と、
前記第１のカートリッジ部は、前記プラットフォーム部に連結された第１のハウジングを有し、前記第１のレザーブレードの組が前記第１のハウジング内に配置され、
前記第２のカートリッジ部は、前記プラットフォーム部に連結された第２のハウジングを有し、前記第２のレザーブレードの組が前記第２のハウジング内に配置されるプラットフォーム部と、
前記プラットフォーム部をハンドルに取り付ける取付手段と、を具備し、
前記第１のレザーブレードの組の前記カッティングエッジは、前記第２のレザーブレードの組の前記カッティングエッジに向けて反対側に配置され、シェービング処理において、ユーザの皮膚上を概ね逆の２つの方向のいずれか一方に引かれた時に前記レザーカートリッジで毛髪を切断することを特徴とするレザーカートリッジ。
【請求項２】
前記プラットフォーム部、第１のカートリッジ部及び第２のカートリッジ部は、互いに一体化していることを特徴とする請求項１記載のレザーカートリッジ。
【請求項３】
前記プラットフォーム部は、前記ハンドルに回転可能に取り付け可能であり、前記プラットフォーム部の第１の端部の近傍であってその下面側に配置された第１及び第２の制限面と、前記プラットフォーム部の反対側の第２の端部の近傍であってその下面側に配置された第３及び第４の制限面とを規定し、前記制限面は、前記レザーカートリッジが前記ハンドルの上に回転可能に取り付けられた場合に、互いに前記ハンドルに対する前記レザーカートリッジの回転動作の範囲を決めるように構成されることを特徴とする請求項１記載のレザーカートリッジ。
【請求項４】
前記回転動作の範囲は、０°と略９０°との間であることを特徴とする請求項３記載のレザーカートリッジ。
【請求項５】
前記回転動作の範囲は、略７０°であることを特徴とする請求項３記載のレザーカートリッジ。
【請求項６】
前記回転動作の範囲は、略４５°であることを特徴とする請求項３記載のレザーカートリッジ。
【請求項７】
前記回転動作の範囲は、略９０°であることを特徴とする請求項３記載のレザーカートリッジ。
【請求項８】
前記プラットフォーム部は、前記レザーカートリッジからシェービングの残骸を洗浄するように延在する複数の開口を規定することを特徴とする請求項１記載のレザーカートリッジ。
【請求項９】
前記第１のレザーブレードの組がこれに連結される第１のブレード固定器具が、中立位置と退避位置との間の動作のために前記第１のハウジング内に配置され、
前記第２のレザーブレードの組がこれに連結される第２のブレード固定器具が、中立位置と退避位置との間の動作のために前記第２のハウジング内に配置されることを特徴とする請求項１記載のレザーカートリッジ。
【請求項１０】
前記第１のハウジング内に配置され、通常時に前記第１のブレード固定器具を前記中立位置に押し付ける第１の付勢手段と、
前記第２のハウジング内に配置され、通常時に前記第２のブレード固定器具を前記中立位置に押し付ける第２の付勢手段と、を更に具備することを特徴とする請求項９記載のレザーカートリッジ。
【請求項１１】
前記第１のカートリッジ部と前記第２のカートリッジ部との間にギャップを規定することを特徴とする請求項１記載のレザーカートリッジ。
【請求項１２】
前記第１のハウジングの先端の近傍に連結される第１のカード要素と、
前記第２のハウジングの先端の近傍に連結される第２のカード要素と、を更に具備することを特徴とする請求項１記載のレザーカートリッジ。
【請求項１３】
少なくとも前記第１のハウジング及び第２のハウジングの１つに連結された、少なくとも１つの快適なストリップを更に具備することを特徴とする請求項１記載のレザーカートリッジ。
【請求項１４】
少なくとも１つの前記快適なストリップは、１つずつ前記第１及び第２のハウジングにそれぞれ連結される１組の快適なストリップを有することを特徴とする請求項１３記載のレザーカートリッジ。
【請求項１５】
前記取付手段は、一方が前記プラットフォーム部の第１の端部に配置され、他方が前記プラットフォーム部の反対側の第２の端部に配置される凹部の組を有し、前記凹部は、それぞれ前記ハンドルの一部を形成する取付アームの端部をスライドさせて受け入れるように適合されたことを特徴とする請求項１記載のレザーカートリッジ。
【請求項１６】
前記取付手段は、ハンドルの一部を形成する付勢部材に連結可能な当接面を有し、前記レザーカートリッジが、中立位置と完全に回転した位置との間の動作のために前記ハンドルに回転可能に取り付けられた場合に、前記付勢部材が前記当接面と連結し、通常時に前記レザーカートリッジを前記中立位置に押し付けることを特徴とする請求項１４記載のレザーカートリッジ。
【請求項１７】
前記第１のカートリッジ部及び第２のカートリッジ部は、互いに異なる数のレザーブレードを有することを特徴とする請求項１記載のレザーカートリッジ。
【請求項１８】
少なくとも１つの快適なストリップは前記ギャップに配置されることを特徴とする請求項１１記載のレザーカートリッジ。
【請求項１９】
前記第１のカートリッジ部及び第２のカートリッジ部は、前記プラットフォーム部に対して取り外し可能に取り付けられることを特徴とする請求項１記載のレザーカートリッジ。
【請求項２０】
前記第１のレザーブレードの組及び第２のレザーブレードの組は、それぞれワイヤで包まれることを特徴とする請求項１記載のレザーカートリッジ。
【請求項２１】
ハンドルと、
前記ハンドルに連結されたレザーカートリッジであって、
プラットフォーム部に取り外し可能に連結され、少なくとも部分的に露出したカッティングエッジをそれぞれが有する、少なくとも１つの第１のレザーブレードの組を有する第１のカートリッジ部、並びに、前記プラットフォーム部に取り外し可能に連結され、少なくとも部分的に露出したカッティングエッジをそれぞれが有する、少なくとも１つの第２のレザーブレードの組を有する第２カートリッジ部とを備えるプラットフォーム部と、前記プラットフォーム部を前記ハンドルに結合する取付手段と、を備えるレザーカートリッジと、を具備し、
前記第１のカートリッジ部に配置された前記第１のレザーブレードの組の前記カッティングエッジは、前記第２のカートリッジ部に配置された前記第２のレザーブレードの組の前記カッティングエッジに向けて反対側に配置され、シェービング処理において、ユーザの皮膚上を概ね逆の２つの方向のいずれか一方に引かれた時に前記レザーカートリッジで毛髪を切断することを特徴とするシェービング装置。
【請求項２２】
前記レザーカートリッジは、前記レザーカートリッジが最も前方側の位置と、最も後方側の位置の中間位置で停止した位置である中立位置と、前記レザーカートリッジが最も前方側或いは最も後方側に付勢された位置である完全に回転した位置との間で、前記ハンドルに対して前後方向に回転可能であることを特徴とする請求項２１記載のシェービング装置。
【請求項２３】
前記ハンドルは、当該ハンドル上に前記レザーカートリッジを取り外し可能に保持する手段を有することを特徴とする請求項２１記載のシェービング装置。
【請求項２４】
前記ハンドルは、その端部から外側に突出した付勢部材を具備し、前記レザーカートリッジの前記プラットフォーム部は、前記付勢部材と連結可能であり、通常時に前記レザーカートリッジを中立位置に押し付ける当接面を規定することを特徴とする請求項２３記載のシェービング装置。
【請求項２５】
中立位置から完全に回転した位置に移動する際の前記レザーカートリッジの回転範囲は略９０°を包囲することを特徴とする請求項２１記載のシェービング装置。
【請求項２６】
中立位置と完全に回転した位置との間で移動する際に前記レザーカートリッジは、０°と９０°との間の動作範囲を含むことを特徴とする請求項２２記載のシェービング装置。
【請求項２７】
前記プラットフォーム部、第１のカートリッジ部及び第２のカートリッジ部は、互いに一体化していることを特徴とする請求項２１記載のシェービング装置。
【請求項２８】
通常時に前記レザーカートリッジを中立位置に押し付ける付勢手段を更に具備することを特徴とする請求項２１記載のシェービング装置。
【請求項２９】
前記プラットフォーム部は、少なくとも前記第１及び第２のカートリッジ部の１つの近傍に少なくとも１つの可撓性部を規定し、シェービング処理において、前記プラットフォーム部の部分、及びこれに伴ってその上に取り付けられる前記カートリッジ部を、前記可撓性部を介してユーザの皮膚の輪郭に密着しながら追随するように移動可能としたことを特徴とする請求項１記載のレザーカートリッジ。
【請求項３０】
前記プラットフォーム部は、前記第１及び第２のカートリッジ部のそれぞれの近傍に１組の可撓性部を規定し、シェービング処理において、前記可撓性部の近傍の前記プラットフォーム部の部分、及びこれに伴ってその上に取り付けられた前記第１及び第２のカートリッジ部を、前記可撓性部を介してユーザの皮膚の輪郭に密着しながら追随するように移動可能としたことを特徴とする請求項２９記載のレザーカートリッジ。
【請求項３１】
前記プラットフォーム部は、中立位置と回転した位置との間の移動のために回転可能に互いに連結された第１のプラットフォームと第２のプラットフォームとを有し、前記第１のカートリッジ部は、前記第１のプラットフォーム上に取り付けられ、前記第２のカートリッジ部は、前記第２のプラットフォーム上に取り付けられることを特徴とする請求項１記載のレザーカートリッジ。
【請求項３２】
前記第１のレザーブレードの組及び前記第２のレザーブレードの組はワイヤで包まれたことを特徴とする請求項２１記載のシェービング装置。
【請求項３３】
前記レザーカートリッジは、前記ハンドルに対して左右方向に移動可能であることを特徴とする請求項２２記載のシェービング装置。
【発明の詳細な説明】
【技術分野】
【０００１】
本発明は、概して湿式のシェービング装置に関し、特に、ユーザの皮膚上を概ね逆の２つの方向のいずれか一方に引かれた際に毛髪を切断可能なシェービング装置に関する。
【背景技術】
【０００２】
一般に、湿式のシェービングレザーは、ハウジング内に取り付けられ、露出したカッティングエッジをそれぞれが有する、１つ又はそれ以上のレザーブレードを備えたレザーカートリッジを組み込んでいる。通常、レザーは、毛髪を切断するためにユーザの皮膚上を一方向にのみ引かれ、後続するストローク毎に配置し直す必要がある。脚の表面のような広い範囲をシェービングする際には、シェービング装置を配置し直すその要求は、シェービング処理を完了するために必要とされる回数を増加させる。また、例えば、脇の下などの複雑な輪郭を有する、手が届き難い領域をシェービングする際には他の問題が発生する。それぞれのストロークに先立ってレザーを配置し直すことが煩わしくなる。少なくとも、これらの問題に基づいて、それぞれのストロークに先立ってレザーを配置し直す必要なく使用できるレザーが要求されている。
【０００３】
上述のような問題及び欠点に対応する取り組みにおいて、２つ又はそれ以上のブレードが、ブレードのカッティングエッジが互いに外側に向くようにレザーカートリッジ内に配置された湿式のレザーが開発されている。このように構成されたシェービング装置は、ユーザの皮膚上を概ね逆の２つの方向のいずれか一方に引かれた際に毛髪を切断することができる。しかしながら、ブレードが互いに外側に向けられ、また、レザー内に摩擦低減剤が使用されていないことから、レザーがユーザの皮膚上を引かれた際、かなりの量の抵抗が生じ、これに伴って不快感が生じる結果となる。
【０００４】
上述したように構成された従来技術のレザーに関連する他の問題は、それらが完全に枢動できないか、或いは、カートリッジが取り付けられたハンドルに対して枢動動作の範囲が、レザーブレードのカッティングエッジにユーザの皮膚の輪郭に追随させるため、並びに、切断方向を効果的に逆転させるために不十分であることである。
【０００５】
上述の従来技術、外側に向けられた対向ブレードシステムに関連する他の欠点は、シェービング処理中において、切断する方向にブレードを動かす、接点軌跡上の力がブレードを押圧することである。これは、ブレードをガタつかせるか、転倒モーメントを引き起こす潜在性を有することとなる。これらのいずれが発生しても、不快なシェービング体験を引き起こし得る。
【０００６】
従来技術のレザーを用いた場合に直面する他の問題は、ユーザがストローク方向を逆転した際にたまに発生する。多くの場合、これは、ユーザの皮膚に対する僅かなブレードの横滑りを引き起こす。ブレードのカッティングエッジが全体として完全に露出しているため、この横滑りは、皮膚を傷つけるか、皮膚を切る事態を引き起こすこととなる。
【０００７】
上述の内容に基づいて、本発明の全般的な目的は、従来技術のシェービング装置に関連する上記問題及び欠点を克服又は改良する湿式のシェービングレザーを提供することである。
【発明の開示】
【０００８】
本発明の一態様は、第１及び第２のカートリッジ部を備えるプラットフォーム部を有するレザーカートリッジである。第１のカートリッジ部は、その内部に配置された少なくとも１つの第１のレザーブレードの組を有しており、各ブレードは、少なくとも部分的に露出したカッティングエッジを有している。同様に、第２のカートリッジ部は、その内部に配置された少なくとも１つの第２のレザーブレードの組を有しており、各ブレードは、少なくとも部分的に露出したカッティングエッジを有している。取付手段は、プラットフォーム部を取り外し可能に連結し、これにより、レザーカートリッジをハンドルに取り付ける。第１のレザーブレードの組のカッティングエッジ及び第２のレザーブレードの組のカッティングエッジは、概ね対向し、互いに向き合うように配置されており、概ね逆の２つの方向のいずれか一方にユーザの皮膚上を移動した際にカートリッジで毛髪を切断できるようになっている。
【０００９】
本発明の好ましい実施形態において、プラットフォーム部、並びに、第１及び第２のカートリッジ部は、互いに一体となっている。しかしながら、本発明はこれに限定されるものではなく、カートリッジ部は、本発明の広範な範囲を逸脱することなく、取り外し可能に又は取り外せないようにプラットフォーム部に連結される。第１及び第２の制限面は、プラットフォーム部の一方の端部近傍の下面側に配置されている。第３及び第４の制限面も、プラットフォーム部の反対側の端部近傍の下面側に配置されている。制限面は、レザーハンドル上に回転可能に取り付けられる際に、レザーカートリッジの回転運動の範囲を固定するように構成されている。ハンドルの制限面接触部は、カートリッジの回転を制限する。回転運動の範囲は、およそ０°から９０°の間であることが好ましい。しかしながら、本発明はこれに限定されるものではなく、９０°以上の、或いは、９０°以下の他の回転範囲を使用することも可能である。
【００１０】
プラットフォーム部は、レザーカートリッジを通してシェービングの残骸を洗浄し、レザーカートリッジの外部に排出する複数の開口を規定することが好ましい。また、第１のカートリッジ部は、第１のハウジングを有し、第２のカートリッジ部は、第２のハジングを有している。第１のレザーブレードの組をこれに連結する第１のブレード固定器具は、シェービング処理において発生する力に応じて中立位置と退避位置との間の動作のために、第１のハウジング内に位置合わせされている。同様に、第２のレザーブレードの組をこれに連結する第２のブレード固定器具は、シェービング処理において発生する力に応じて中立位置と退避位置との間の動作のために、第２のハウジング内に位置合わせされている。付勢手段は、通常時に中立位置に向かって第１及び第２のブレード固定器具を押し付けるように、第１及び第２のハウジング内に配置されている。
【００１１】
第１及び第２のカートリッジ部は、それらの間にギャップを規定することが好ましい。本発明の実施形態においては、第１のガード要素が第１のハウジングに結合され、第２のガード要素が第２のハウジングに連結されている。一般に、シェービング処理において、ガード要素は、ユーザの皮膚を引き伸ばし、これにより、表面の毛髪の切断に貢献する。また、本発明のレザーカートリッジは、少なくとも１つの快適なストリップを有することも可能である。第１及び第２のカートリッジ部のそれぞれに１つずつ取り付けられた、２つの快適なストリップを備えることが好ましい。また、少なくとも１つの快適なストリップは、第１及び第２のカートリッジ部の間のギャップに配置され得る。しかしながら、本発明はこれに限定されるものではなく、快適な又は滑りストリップは、本発明の広範な範囲から逸脱することなく、レザーカートリッジにいくつ取り付けられていても良い。
【００１２】
他の態様において、本発明は、ハンドルに取り外せないように又は取り外し可能に連結された上述のレザーカートリッジを組み込んだシェービング装置にある。この場合、中立位置から約７０°の上述制御面の向きに基づいて、レザーカートリッジは、ハンドルに対して回転する範囲を有することが好ましい。付勢部材は、ハンドルから外側に突出すると共に、レザーカートリッジのプラットフォーム部上の当接面に連結され、通常時にレザーカートリッジを中立位置の方に押し出す。
【発明を実施するための最良の形態】
【００１３】
図１から図３に示すように、本発明を具現化し、また、一様に参照番号１０で指定されるレザーカートリッジは、第１及び第２のカートリッジ部１４、１６を備え、これらがその上に取り付けられるプラットフォーム部１２を有している。第１のカートリッジ部１４は、第１のハウジング１８を有し、第２のカートリッジ部１６は、第２のハウジング２０を有している。図２に最も良く示される、第１のブレード固定器具２２は、第１のハウジング１８内に配置され、第２のブレード固定器具２４は、第２のハウジング２０内に配置されている。それぞれ第１及び第２のブレード固定器具２２、２４は、ブレード固定器具がそれぞれ第１及び第２のハウジング１８、２０の先端に最も接近する中立位置と、ブレード固定器具がこの先端から離間する退避位置との間で移動可能になっている。（図示しない）スプリングは、通常時にブレード固定器具を中立位置に押し付けるためにそれぞれのカートリッジ部に配置されている。それぞれ第１及び第２のカートリッジ部１４、１６は、プラットフォーム部１２の上に取り付けられるように示している。「取り付けられる」という用語は、取り外せないように結合される場合や、取り外し可能に結合される場合のように、広くプラットフォーム部に一体化する意味に解釈されるべきである。
【００１４】
図２に最も良く示すように、レザーブレード３０、３２の組は、それぞれ第１及び第２のブレード固定器具２２、２４に取り付けられており、各レザーブレードは、少なくとも部分的に露出するカッティングエッジ３４を有している。レザーブレード３０及び３２は、カッティングエッジ３４が互いに離隔するように、それぞれ第１及び第２のブレード固定器具２２、２４内に配置されている。また、第１のブレード固定器具２２に取り付けられた、レザーブレード３０、３２のカッティングエッジ３４は、概ね第２のブレード固定器具２４に取り付けられたレザーブレードのカッティングエッジの方に向けられている。このように、レザーカートリッジ１０は、ユーザの皮膚上を概ね逆の２つの方向のいずれか一方に引かれることで毛髪を切断することができる。それぞれのカートリッジ部１４、１６がその中にレザーブレードの組を有するように示しているが、本発明はこれに限定されるものではなく、それぞれのカートリッジ部の中には、いくつレザーブレードを組み込んでも良い。さらに、ブレードの数は、本発明の広範な範囲を逸脱することなく、カートリッジ部毎に異ならせることも可能である。
【００１５】
図１を参照すると、第１及び第２のレザーブレード３０、３２の組は、カッティングエッジ３４上に広がるワイヤ３５で包まれており、ユーザの皮膚が連続するレザーブレードの間に突き出す量を制限する。レザーブレードを包むワイヤが示されているが、本発明はこれに限定されるものではなく、連続するブレードの間で隆起するものに限定されず、本発明の当業者により知られた、皮膚の進入を抑制する他の機構に置き換えることが可能である。
【００１６】
図３及び図７から図９を参照すると、プラットフォーム部１２は、プラットフォーム部の一方の端部に位置付けられ、一様に参照番号３６で指定される第１及び第２の制限面と、プラットフォーム部の反対側の端部に位置付けられ、一様に参照番号３７で指定される第３及び第４の制限面とを有している。レザーカートリッジ１０がハンドル４０に回転可能に取り付けられる場合、制限面３６、３７は、ハンドル４０から延在する取付アーム４２と係合することで、ハンドルに対するレザーカートリッジ１０の回転範囲を抑制する。レザーカートリッジ１０の回転範囲は、図７から図９に示される中立位置と、完全に回転した位置（不図示）との間で前後方向に設定され、図８の矢印Ｂで示すように、約７０°から９０°に設定されることが好ましい。しかしながら、本発明はこれに限定されるものではなく、その動作範囲は、本発明の広範な範囲を逸脱することなく、０°に、或いは、他のいずれの角度にも設定することが可能である。レザーハンドル上に取り付けられた場合における前後方向への移動に加えて、シェービング装置は、図９の矢印Ｃで示すように、レザーカートリッジを左右方向の回転移動を許容するように構成しても良い。ユニバーサルな動作は、レザーカートリッジが左右方向への動作と同時に前後方向に移動可能である場合に得られる。
【００１７】
今、図３及び図８を参照すると、プラットフォーム部１２は、図示した実施形態において、断面を円形に示される当接面４４を有している。しかしながら、本発明はこれに限定されるものではない。レザーカートリッジ１０がハンドル４０に対して取り外せないように又は取り外し可能に取り付けられる場合、図４及び図５に示すようにハンドル４０から外側に突出する弾性付勢部材４６が当接面４４と係合し、通常時にレザーカートリッジ１０を中立位置の方に押し出す。また、プラットフォーム部１２は、シェービング処理において、レザーカートリッジ１０を通してシェービングの残骸の洗浄を補助する複数の開口４８を有している。さらに、プラットフォーム部１２は、ハンドル４０の一部を形成する取付アーム４２の端部５２をスライドさせて受け入れるように適合された、対向する凹部５０の組を有している。取付アーム４２は、使い捨て可能なレザーカートリッジがハンドル４０に取り外し可能に取り付けられるように移動可能とされ、或いは、それらが固定され、レザーカートリッジがその上に取り外せないように取り付けられるようになっていても良い。凹部５０及び取付アーム４２が示されているが、本発明はこれに限定されるものではなく、本発明の当業者により知られた、ハンドルに対してレザーカートリッジを取り付ける他の手段に置き換えることが可能である。例えば、レザーカートリッジ及びハンドルは、互いにスナップ式に結合するように構成され、或いは、シェルベアリングが使用される。
【００１８】
図１、図２及び図９を参照すると、第１及び第２のカートリッジ部１４、１６は、それらの間にギャップ５６を規定している。また、ガード要素５８は、それぞれ第１及び第２のハウジング１８、２０における、それらの先端の近傍に連結されている。シェービング処理において、ガード要素５８は、レザーブレードのカッティングエッジとの接触に先立って皮膚を引き伸ばすのに役立つ。快適なストリップ５９は、第１及び第２のハウジング１８、２０の上に、及び／又は、第１のカートリッジ部１４と、第２のカートリッジ部１６との間のギャップ５６内に備えられている。快適なストリップは、その上にシェービング補助剤を組み入れることができる。例えば、シェービング補助剤は、Ｐｏｌｙｏｘ(登録商標)、アロエ、ビタミン、ジェル又はオイルであるが、これらに限定されるものではない。或いは、快適なストリップは、シェービング処理における不快感を低減する低摩擦材料を組み入れることができる。快適なストリップが低摩擦材料で形成される場合、それらは、本発明の当業者により「グライドストリップ」と言及される。ガード要素５８及び快適なストリップ５９は、特定の形状でレザーカートリッジ１０に取り付けられているように示しているが、本発明はこれに限定されるものではない。ガード要素５８及び快適なストリップ５９は、本発明の広範な範囲を逸脱することなく、レザーカートリッジ１０のいかなる組合せで省略し、置換し、或いは、配置するようにしても良い。
【００１９】
図１０に示すように、プラットフォーム部１２は、それぞれ第１及び第２のカートリッジ部１４、１６の近傍に、薄肉断面領域６０の組を有している。薄肉断面領域６０は、それぞれ第１及び第２のカートリッジ部１４、１６が、矢印Ａで示すように、シェービング処理においてユーザの皮膚の輪郭により密着しながら追随して移動できるように、プラットフォーム部１２を曲げさせる。
【００２０】
図１１及び図１２を参照すると、プラットフォーム部１２は、第１及び第２の２分したプラットフォーム６２、６４により形成され、ヒンジにより互いに連結されている。それぞれのプラットフォーム６２、６４は、矢印Ｂに示すように、他方に対して移動可能に構成されている。従って、シェービング処理において、第１及び第２のプラットフォーム６２、６４は、その上に取り付けられたカートリッジ部がユーザの皮膚の輪郭により密着しながら追随できるように移動する。
【００２１】
好ましい実施形態について示しているが、本発明の精神及び範囲を逸脱することなく、各種の修正及び置換を行うことが可能である。従って、本発明は、一例として説明されたものであり、これらに限定されるものではないと理解される。
【図面の簡単な説明】
【００２２】
【図１】本発明に従って構成されたレザーカートリッジの斜視図である。
【図２】図１のレザーカートリッジの側断面図である。
【図３】図１のレザーカートリッジの下側の斜視図である。
【図４】図１のレザーカートリッジに取付可能なレザーハンドルの正面図である。
【図５】図４のレザーハンドルの側面図である。
【図６】図４のハンドルに結合された図１のレザーカートリッジを示すシェービング装置の背面図である。
【図７】図６のシェービング装置の側断面図である。
【図８】図７のシェービング装置の円形Ａで区切られた部分の拡大図である。
【図９】図６のシェービング装置の正面図である。
【図１０】本発明の実施の形態の側面図である。
【図１１】本発明の他の実施の形態の側面図である。
【図１２】図１０のレザーカートリッジの部分拡大図である。
【図１】
2007519500.tif 000003
【図２】
2007519500.tif 000004
【図３】
2007519500.tif 000005
【図４】
2007519500.tif 000006
【図５】
2007519500.tif 000007
【図６】
2007519500.tif 000008
【図７】
2007519500.tif 000009
【図８】
2007519500.tif 000010
【図９】
2007519500.tif 000011
【図１０】
2007519500.tif 000012
【図１１】
2007519500.tif 000013
【図１２】
2007519500.tif 000014
【国際調査報告】
2007519500.tif 000015
2007519500.tif 000016
2007519500.tif 000017
2007519500.tif 000018